(57)【要約】【課題】板状保持部材に対し安価で量産性の良い加工方法で対応した部材で、本潤滑用構体のコストアップ無しで金属石鹸ブロックの割れ・欠け等の不具合発生を防止でき、なおかつ均一に滑り剤を塗布する機能を損ねることが無い潤滑用構体およびこの潤滑用構体を用いた画像形成装置を提供することにある。【解決手段】長手方向の一面で他の部材と干渉する面ｄｓを有する棒状の金属石鹸ブロック１０と、前記一面以外の前記金属石鹸ブロック１０の一面にて前記金属石鹸ブロック１０を保持する保持部材１１とを接合してなる潤滑用構体Ａにおいて、前記棒状の金属石鹸ブロック１０が複数個１０Ａ、１０Ａ、．．．に分割されている。【選択図】        図１
2004331838.tif 000002
【特許請求の範囲】
【請求項１】
長手方向の一面で他の部材と干渉する面を有する棒状の金属石鹸ブロックと、前記一面以外の前記金属石鹸ブロックの一面にて前記金属石鹸ブロックを保持する保持部材とを接合してなる潤滑用構体において、前記棒状の金属石鹸ブロックが複数個に分割されていることを特徴とする潤滑用構体。
【請求項２】
長手方向の一面で他の部材と干渉する面と、前記金属石鹸ブロック保持部材との接合面以外の前記金属石鹸ブロックの面で、その面の法線方向に対し、分割された隣り合う金属石鹸ブロックの間に隙間が無い面を有することを特徴とする請求項１記載の潤滑用構体。
【請求項３】
前記分割された隣り合う金属石鹸ブロックの分割部は、互いに平行をなす面で構成されることを特徴とする請求項２記載の潤滑用構体。
【請求項４】
前記金属石鹸ブロックの長手方向の一面で他の部材と干渉する面で、前記分割された隣り合う金属石鹸ブロックの分割部が、前記金属石鹸ブロックの長手方向に対し斜め直線方向で構成されることを特徴とする請求項２または３記載の潤滑用構体。
【請求項５】
前記分割された複数個の金属石鹸ブロックが全て同形状で構成されることを特徴とする請求項１ないし４のいずれか１項記載の潤滑用構体。
【請求項６】
請求項１ないし５のいずれか１項記載の潤滑用構体を備えた画像形成装置。
【発明の詳細な説明】
【０００１】
【発明の属する技術分野】
本発明は、複写機、ファクシミリ、プリンタ等の画像形成装置の潤滑用構体として金属石鹸ブロックを用いた潤滑用構体、およびその潤滑用構体を備えた画像形成装置に関する。
【０００２】
【従来の技術】
図１４は従来技術での潤滑用構体Ａの実施例を示す平面図である。図１５は図１４の従来技術の潤滑用構体の正面図である。図１６は図１５の潤滑用構体の左側面図である。図１４ないし図１６において、金属石鹸ブロック１を保持する保持部材２が安価で量産性の良いプレス加工で形成される部品であり、その上面に金属石鹸ブロック１が両面テープ３にて接合される構成となっている。
図１７は画像形成装置の感光体ドラムに潤滑用構体Ａを適用する例を示す概略図である。潤滑用構体Ａに対し、接合面と対抗する金属石鹸ブロック１面の上部にブラシ４が配置され、このブラシ４によって金属石鹸ブロック１が削り取られ、微細化された金属石鹸ブロック１が滑り剤塗布対象部品５となる感光体ドラムや中間転写ベルトへ滑り剤として供給される。
【０００３】
【発明が解決しようとする課題】
しかしながら、複写機、ファクシミリ、プリンタ等の画像形成装置においては、感光体や中間転写ベルトのクリーニング性を向上する目的で従来から金属石鹸による滑り剤をクリーニング助剤として塗布する方式が提案されている。
滑り剤を供給する機構としては、金属石鹸ブロック１をブラシ４等で削り取り、微細化して塗布する構成が主流となっている。
この金属石鹸ブロック１の構成は、滑り剤塗布対象部品５となる感光体ドラムや中間転写ベルトの幅方向へ滑り剤を均一に供給するために、滑り剤塗布対象部品５となる感光体や中間転写ベルトと同等の長さで構成されている。また省スペース化を図るために断面形状が長さに対し小さい棒状で構成されている。
この金属石鹸ブロック１は非常に脆い物質であり、それ単独では外部からの応力により容易に破損してしまうため、金属石鹸ブロック１は比較的強靱な板状の保持部材２と接合することで保形力を高めた構成となっている。
ここで、上述の通り、金属石鹸ブロック１は非常に脆い材質であり、かつ省スペース化を図るために棒状に構成されていることでさらに折れやすい形状となっている。
図１８は板状保持部材と金属石鹸ブロックとの接合面を示す概略図である。棒状金属石鹸ブロック１の保形力を高めるための板状保持部材２における金属石鹸ブロック１との接合面１ａの面精度が悪い場合（図１８の３β）、金属石鹸ブロック１を接合させるさいには金属石鹸ブロック１を撓ませる応力（図１８の３Ｆ）が加わり金属石鹸ブロック１の割れ、欠け（図１８の３Ｇ）を発生させてしまう不具合を有している。
こういった不具合が発生し、金属石鹸ブロック１の割れ部からの破片や欠けによる破片等が、滑り剤塗布対象部品５へ供給された場合、滑り剤塗布対象部品５である感光体ドラム、中間転写ベルトの傷発生等を引き起こす致命的な問題となっている。
上記不具合を防止するために、従来技術では、板状保持部材２の面精度を高精度に管理することが要求されている。しかしこの不具合を防止するレベルでの板状保持部材２の平面度は、安価で量産性の良い加工方法、例えばプレス加工や樹脂成形加工等といった加工方法では加工困難な高精度であるため、量産においては全数検査・全数矯正といった対応が多々実施されている。
このような対応により、従来技術の構成では部品費コストアップといった不具合が発生してしまっている。
そこで本発明の目的は、上記の問題点を解決するために、板状保持部材に対し安価で量産性の良い加工方法で対応した部材で、本潤滑用構体のコストアップ無しで金属石鹸ブロックの割れ・欠け等の不具合発生を防止でき、なおかつ均一に滑り剤を塗布する機能を損ねることが無い潤滑用構体およびこの潤滑用構体を用いた画像形成装置を提供することにある。
【０００４】
【課題を解決するための手段】
前記の課題を解決するために、請求項１記載の発明では、長手方向の一面で他の部材と干渉する面を有する棒状の金属石鹸ブロックと、前記一面以外の前記金属石鹸ブロックの一面にて前記金属石鹸ブロックを保持する保持部材とを接合してなる潤滑用構体において、前記棒状の金属石鹸ブロックが複数個に分割されている潤滑用構体を最も主要な特徴とする。
請求項２記載の発明では、長手方向の一面で他の部材と干渉する面と、前記金属石鹸ブロック保持部材との接合面以外の前記金属石鹸ブロックの面で、その面の法線方向に対し、分割された隣り合う金属石鹸ブロックの間に隙間が無い面を有する請求項１記載の潤滑用構体を主要な特徴とする。
請求項３記載の発明では、前記分割された隣り合う金属石鹸ブロックの分割部は、互いに平行をなす面で構成される請求項２記載の潤滑用構体を主要な特徴とする。
請求項４記載の発明では、前記金属石鹸ブロックの長手方向の一面で他の部材と干渉する面で、前記分割された隣り合う金属石鹸ブロックの分割部が、前記金属石鹸ブロックの長手方向に対し斜め直線方向で構成される請求項２または３記載の潤滑用構体を主要な特徴とする。
請求項５記載の発明では、前記分割された複数個の金属石鹸ブロックが全て同形状で構成される請求項１ないし４のいずれか１項記載の潤滑用構体を主要な特徴とする。
請求項６記載の発明では、請求項１ないし５のいずれか１項記載の潤滑用構体を備えた画像形成装置を主要な特徴とする。
【０００５】
【発明の実施の形態】
以下、図面により本発明の実施の形態を詳細に説明する。図１は本発明による潤滑用構体の第１の実施の形態を示す平面図である。図２は図１の潤滑用構体の正面図である。図３は図２の潤滑用構体の左側面図である。
図１ないし図３において、潤滑用構体Ａは複数個に分割されている金属石鹸ブロック１０（１０Ａ、１０Ａ、．．．）と、全ての金属石鹸ブロック１０を保持する一つの保持部材１１を有している。図１では、棒状の金属石鹸ブロック１０が複数個に分割されていることを示している。
図４は金属石鹸ブロックを保持する、悪い平面度を有する保持部材の示す正面図である。金属石鹸ブロック１０を保持する保持部材１１の平面度が悪くても（４β）、金属石鹸ブロック１０を接合するさいに、金属石鹸ブロック１０が分割されている（１０Ａ、１０Ａ、．．．）ため、一本の棒状形態（図１４参照）である場合よりも撓み量が減少でき、割れの防止が達成できる。
図２および図４には分割されている金属石鹸ブロック１０の分割部１０Ａ、１０Ａ間の隙間４δおよび金属石鹸ブロック保持部品の平面度状態１０βが示してある。
図５は本発明による潤滑用構体の第２の実施の形態を示す平面図である。図６は図５の潤滑用構体の正面図である。図７は図６に示す潤滑用構体の左側面図である。図５ないし図７で示す構成は図１および図２で示した構成を伴っている。
図８は本発明による潤滑用構体の第３の実施の形態を示す平面図である。図９は図８の潤滑用構体の正面図である。図１０は図９に示す潤滑用構体の左側面図である。
図８ないし図１０の実施の形態において、金属石鹸ブロック１０と保持部材１１との接合面１０ａとは異なり、滑り剤を供給するためにブラシ（図示せず）が当接する長手方向の一面（ｄｓ）を上面図として見た場合に長手方向側面図となる面（ａｓ）において、その面の法線方向に対し、分割された隣り合う金属石鹸ブロック１０の間に隙間が無い（５δ）面となることを示している。
この構成により、実機上でブラシにて滑り剤を削り取るさいに滑り剤の塗布対象部品への供給の分布差は、金属石鹸ブロック１０の長手方向での場所による差が小さくなり、より均一な滑り剤の塗布が達成できる。
これに対し、図１ないし図３による樹幹継ぎ手用構体では、前述の面（ａｓ）において金属石鹸ブロック１０の分割部（１０Ａ、１０Ａ、．．．）の間に隙間（４δ）が有るため、ブラシにて滑り剤が削り取られない範囲が発生し、均一な滑り剤の塗布機能が妨げられてしまう。
【０００６】
図１１は本発明による潤滑用構体の第４の実施の形態を示す平面図である。図１２は図１１の潤滑用構体の正面図である。図１３は図１２に示す潤滑用構体の左側面図である。
図１１ないし図１３で示す構成は上述の第２の実施の形態で示した構成であり、なおかつ分割された隣り合う金属石鹸ブロック１０の分割部（１０Ａ、１０Ａ、．．．）が、互いに平行をなす面６ａｓで構成されていることを示している。
また、分割された隣り合う金属石鹸ブロック１０の互いに平行をなす面６ａｓは、ブラシが当接する面（ｄｓ）から見た場合、金属石鹸ブロック１０の長手方向に対し斜め直線方向で構成されることを示している。
そして、上記の構成で複数個に分割されている金属石鹸ブロック１０はすべて同形状で構成されている。
上記構成により、分割された隣り合う金属石鹸ブロック１０の分割部１０Ａ、１０Ａ、．．．）が、互いに平行をなす面６ａｓ（長手方向に対して所定角度傾斜した面）で構成されていることで保持部材１１への接合作業を行うさいに、分割部間の平行をなす面６ａｓを接触させて配置することが可能となり作業性の向上が図れる。
また、分割された隣り合う金属石鹸ブロック１０の互いに平行をなす面６ａｓは、ブラシが当接する面（ｄｓ）から見た場合、金属石鹸ブロック１０の長手方向に対し斜め直線方向で構成されることで、分割した金属ブロック形状の簡素化ができ加工性の向上が図れる。
さらに、複数個に分割されている金属石鹸ブロック１０はすべて同形状で構成することで金属石鹸ブロック１０の共通使用化ができ部品コストの削減が達成できる。
【０００７】
【発明の効果】
以上説明したように、請求項１によれば、潤滑用構体において長手方向の一面で他の部品と干渉する面を有する棒状の金属石鹸ブロックで、前記一面以外の金属石鹸ブロックの一面にて金属石鹸ブロックを保持する部材と接合し、棒状の金属石鹸ブロックが複数個に分割されていることで、金属石鹸ブロックを保持する保持部材の平面度が悪くても、金属石鹸ブロックを接合するさいに、金属石鹸ブロックが分割されているため、一本の棒状形態である場合よりも撓み量が減少でき、割れの防止が達成できる。
請求項２によれば、金属石鹸ブロックの長手方向の一面で、ブラシなどの他の部品と干渉する面と、金属石鹸ブロック保持部品との接合面以外の金属石鹸ブロックの面で、その面の法線方向に対し、分割された隣り合う金属石鹸ブロックの間に隙間が無い面を有することで、実機上でブラシにて滑り剤を削り取るさいに滑り剤の塗布対象部品への供給が場所による分布差が少なくなりより均一な滑り剤の塗布が達成できる。
請求項３によれば、分割された隣り合う金属石鹸ブロックの分割部が、互いに平行をなす面で構成されていることで、保持部品への接合作業を行うさいに分割部間の平行をなす面を接触させることが可能となり作業性の向上が図れる。
請求項４によれば、分割された隣り合う金属石鹸ブロックの互いに平行をなす面は、ブラシが当接する面から見た場合、金属石鹸ブロック長手方向に対し斜め直線方向で構成されることで、分割した金属ブロック形状の簡素化ができ加工性の向上が図れる。
請求項５によれば、複数個に分割されている金属石鹸ブロックをすべて同形状で構成することで金属石鹸ブロックの共通使用化ができ部品コストの削減が達成できる。
請求項６によれば、請求項１から請求項５のいずれかの構成部品を使用することで、上述した効果を得ることができ、品質の安定と部品コストの低減が達成できる画像形成装置を得ることができる。
【図面の簡単な説明】
【図１】本発明による潤滑用構体の第１の実施の形態を示す平面図。
【図２】図１の潤滑用構体の正面図。
【図３】図２の潤滑用構体の左側面図。
【図４】金属石鹸ブロックを保持する、悪い平面度を有する保持部材の示す正面図。
【図５】本発明による潤滑用構体の第２の実施の形態を示す平面図。
【図６】図５の潤滑用構体の正面図。
【図７】図６に示す潤滑用構体の左側面図。
【図８】本発明による潤滑用構体の第３の実施の形態を示す平面図。
【図９】図８の潤滑用構体の正面図。
【図１０】図９に示す潤滑用構体の左側面図。
【図１１】本発明による潤滑用構体の第４の実施の形態を示す平面図。
【図１２】図１１の潤滑用構体の正面図。
【図１３】図１１に示す潤滑用構体の左側面図。
【図１４】従来技術での潤滑用構体の実施例を示す平面図。
【図１５】図１４の従来技術の潤滑用構体の正面図。
【図１６】図１５の潤滑用構体の左側面図。
【図１７】画像形成装置の感光体ドラムに潤滑用構体を適用する例を示す概略図。
【図１８】板状保持部材と金属石鹸ブロックとの接合面を示す概略図。
【符号の説明】
１０    金属石鹸ブロック
１０Ａ  分割された金属石鹸ブロック
１０δ  金属石鹸ブロックの分割部間の隙間
１０β  金属石鹸ブロック保持部品の平面度状態
１１    金属石鹸ブロック保持部材
ｄｓ    長手方向の一面（金属石鹸ブロックにおけるブラシが当接する面）
ａｓ    金属石鹸ブロックにおけるブラシが当接する面に対し金属石鹸ブロック長手方向での垂直な面
６ａｓ  分割された金属石鹸ブロックの相対する分割面が平行をなす面（金属石鹸ブロック長手方向に対し斜め直線方向となる面）
【図１】
2004331838.tif 000003
【図２】
2004331838.tif 000004
【図３】
2004331838.tif 000005
【図４】
2004331838.tif 000006
【図５】
2004331838.tif 000007
【図６】
2004331838.tif 000008
【図７】
2004331838.tif 000009
【図８】
2004331838.tif 000010
【図９】
2004331838.tif 000011
【図１０】
2004331838.tif 000012
【図１１】
2004331838.tif 000013
【図１２】
2004331838.tif 000014
【図１３】
2004331838.tif 000015
【図１４】
2004331838.tif 000016
【図１５】
2004331838.tif 000017
【図１６】
2004331838.tif 000018
【図１７】
2004331838.tif 000019
【図１８】
2004331838.tif 000020